(57)【要約】【課題】光源異常をより正確に検知でき、装置ダウンタイムを低減することができる画像読取装置及び画像形成装置を提供する。【解決手段】イメージセンサ１２５は、発光素子を含む光源１３１から出射され、画像読取位置で反射された光を受光する。光量確認部３０１は、光源１３１を点灯させ、反射面１３５において反射されてイメージセンサ１２５に入射した光源１３１の光量が予め指定された光量条件を満足するか否かを判定する。光量再確認部３０２は、光量確認部３０１が光量条件を満足しないと判定した場合、光源１３１の光量又は光源１３１を光量確認部３０１による判定のための点灯条件とは異なる点灯条件で点灯させた際に反射面１３５において反射されてイメージセンサ１２５に入射した光量が、上述の光量条件とは異なる、予め指定された光量再確認条件を満足するか否かを判定する。【選択図】図３
2015106804.tif 000002
【特許請求の範囲】
【請求項１】
発光素子を含む光源と、
前記光源から出射され、画像読取位置で反射された光を受光する受光素子と、
前記画像読取位置に対応して設けられ、前記光源から出射された光を反射する反射面と、
前記光源を点灯させ、前記反射面において反射されて前記受光素子に入射した前記光源の光量が予め指定された光量条件を満足するか否かを判定する光量確認部と、
前記光量確認部が光量条件を満足しないと判定した場合、前記光源の光量又は前記光源を前記光量確認部による判定のための点灯条件とは異なる点灯条件で点灯させた際に前記反射面において反射されて前記受光素子に入射した光量が、前記光量条件とは異なる、予め指定された光量再確認条件を満足するか否かを判定する光量再確認部と、
を備える画像読取装置。
【請求項２】
前記光量再確認部は、前記光源の点灯時間を、前記光量確認部による判定のための点灯時間よりも延長した点灯条件で前記光源を点灯させ、当該点灯条件と対応づけられた前記光量再確認条件を満足するか否かを判定する、請求項１に記載の画像読取装置。
【請求項３】
前記光源が原稿台に対して移動可能に設けられたキャリッジに搭載され、
前記光量再確認部は、前記キャリッジの位置を、前記光量確認部による判定のための位置とは異なる位置に移動した点灯条件で前記光源を点灯させ、当該点灯条件と対応づけられた前記光量再確認条件を満足するか否かを判定する、請求項１に記載の画像読取装置。
【請求項４】
前記光量確認部が光量条件を満足すると判定した場合の前記光源の光量又は当該光源の光量に相当する基準光量を格納する光量保持部をさらに備え、
前記光量再確認部は、前記光量確認部による判定の際に取得された光量と前記光量保持部に格納された光量との差分が、当該差分について指定された前記光量再確認条件を満足するか否かを判定する、請求項１に記載の画像読取装置。
【請求項５】
請求項１から請求項４のいずれか１項に記載の画像読取装置と、
前記画像読取装置が読み取った原稿画像を被転写体上に印刷する画像形成部と、
を備える画像形成装置。
【発明の詳細な説明】
【技術分野】
【０００１】
本発明は、画像読取装置及びその画像読取装置を備える画像形成装置に関する。
【背景技術】
【０００２】
従来、複写機やファクシミリ、スキャナ、複合機等の画像読取装置として、移動可能なキャリッジを原稿台（コンタクトガラス）の下方に設けた構成が知られている。このキャリッジには原稿を照明する原稿読取用の光源が搭載される。光源が出射した光は原稿において反射され、当該反射光に基づいてイメージセンサが原稿画像を生成する。
【０００３】
近年、上述の原稿読取用の光源にも白色のＬＥＤ（Light Emitting Diode）が採用されるようになっている（例えば、特許文献１−３参照。）。このようなＬＥＤは主走査方向に沿って複数配置され、各ＬＥＤを点灯させることで画像読取に必要な光量が生成される。当該光源の光量が低下すると、画像読取が困難になる。そのため、光源の異常の有無を検知する種々の手法が提案されている。
【先行技術文献】
【特許文献】
【０００４】
【特許文献１】特開２０１３−０１２９００号公報
【特許文献２】特開２０１２−０３４１６１号公報
【特許文献３】特開２０１１−１９３５１４号公報
【発明の概要】
【発明が解決しようとする課題】
【０００５】
従来の光源の異常検知は、例えば、光源により白基準板等の反射面を照明した際の反射光の強度（イメージセンサの出力信号レベル）と、予め指定された閾値とを比較することでなされている。すなわち、閾値以上の光強度であれば異常なしと判定し、閾値未満の光強度であれば、異常ありと判定する。
【０００６】
しかしながら、寒冷地や冬季の早朝等、周囲温度が低下している環境下において画像読取装置を使用する場合、結露等が発生することがある。例えば、光源異常の有無を検知する際の反射面に結露が発生した場合、イメージセンサの出力信号レベルは結露のない状態と比較して低下する。この場合、上述の光源の異常検知手法では、光源が正常に点灯している場合であっても、光源異常と判定される可能性がある。
【０００７】
光源異常の場合、光源の交換が必要になる。このような光源の交換は、通常、ユーザでは実施できないため、サービスマン等に交換を依頼する必要がある。また、光源異常が発生した場合は、光量不足のため正常な原稿画像を取得することが困難であるため、画像読取装置の使用自体が禁止される状態になる。
【０００８】
本発明は、このような従来技術の課題を鑑みてなされたものであって、光源異常をより正確に検知でき、装置ダウンタイムを低減することができる画像読取装置及び画像形成装置を提供することを目的とする。
【課題を解決するための手段】
【０００９】
上述の目的を達成するために、本発明は以下の技術的手段を採用している。すなわち、本発明に係る画像読取装置は、光源、受光素子、反射面、光量確認部及び光量再確認部を備える。光源は、発光素子を含む。受光素子は、光源から出射され、画像読取位置で反射された光を受光する。反射面は、画像読取位置に対応して設けられ、光源から出射された光を反射する。光量確認部は、光源を点灯させ、反射面において反射されて受光素子に入射した光源の光量が予め指定された光量条件を満足するか否かを判定する。そして、光量再確認部は、光量確認部が光量条件を満足しないと判定した場合、光源の光量又は光源を光量確認部による判定のための点灯条件とは異なる点灯条件で点灯させた際に反射面において反射されて受光素子に入射した光量が、上述の光量条件とは異なる、予め指定された光量再確認条件を満足するか否かを判定する。
【００１０】
この画像読取装置によれば、光源の異常をより確実に検知することができる。その結果、誤検知に起因する装置ダウンタイムを低減でき、装置の生産性を向上させることができる。
【００１１】
上述の画像読取装置において、光量再確認部は、光源の点灯時間を、光量確認部による判定のための点灯時間よりも延長した点灯条件で光源を点灯させ、当該点灯条件と対応づけられた光量再確認条件を満足するか否かを判定する構成を採用することができる。
【００１２】
また、上述の画像読取装置において、光源が原稿台に対して移動可能に設けられたキャリッジに搭載されていてもよい。この場合、光量再確認部は、キャリッジの位置を、光量確認部による判定のための位置とは異なる位置に移動した点灯条件で光源を点灯させ、当該点灯条件と対応づけられた光量再確認条件を満足するか否かを判定する。
【００１３】
さらに、上述の画像読取装置は、光量確認部が光量条件を満足すると判定した場合の光源の光量又は当該光源の光量に相当する基準光量を格納する光量保持部をさらに備えることもできる。この場合、光量再確認部は、光源を光量確認部による判定の際に取得された光量と光量保持部に格納された光量との差分が、当該差分について指定された光量再確認条件を満足するか否かを判定する。
【００１４】
一方、他の観点では、本発明は、上述の画像読取装置と、当該画像読取装置が読み取った原稿画像を被転写体上に印刷する画像形成部とを備える画像形成装置を提供することもできる。
【発明の効果】
【００１５】
本発明によれば、光源異常をより正確に検知できるとともに、装置ダウンタイムを低減することができる。
【図面の簡単な説明】
【００１６】
【図１】本発明の一実施形態における複合機の全体構成を示す概略構成図
【図２】本発明の一実施形態における複合機のハードウェア構成を示す図
【図３】本発明の一実施形態における複合機を示す機能ブロック図
【図４】本発明の一実施形態における複合機が実施する光源異常検知手順の一例を示すフロー図
【図５】本発明の一実施形態における他の複合機を示す機能ブロック図
【図６】本発明の一実施形態における他の複合機が実施する光源異常検知手順の一例を示すフロー図
【図７】本発明の一実施形態におけるさらに他の複合機を示す機能ブロック図
【図８】本発明の一実施形態におけるさらに他の複合機が実施する光源異常検知手順の一例を示すフロー図
【発明を実施するための形態】
【００１７】
以下、本発明の一実施形態について、図面を参照しながらより詳細に説明する。以下では、画像読取部（画像読取装置）を有するデジタル複合機として本発明を具体化する。
【００１８】
図１は本実施形態におけるデジタル複合機の全体構成の一例を示す概略構成図である。図１に示すように、複合機１００は、画像読取部１２０（画像読取装置）及び画像形成部１４０を含む本体１０１と、本体１０１の上方に取り付けられたプラテンカバー１０２とを備える。本体１０１の上面にはコンタクトガラス等の透明板からなる原稿台１０３が設けられており、原稿台１０３はプラテンカバー１０２によって開閉されるようになっている。また、プラテンカバー１０２は、原稿搬送装置１１０を備えている。なお、複合機１００の前面には、ユーザが複合機１００に複写開始やその他の指示を与えたり、複合機１００の状態や設定を確認したりすることができる操作パネル１７１が設けられている。
【００１９】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３や原稿搬送装置１１０に載置することができる。走査光学系１２１は、第１キャリッジ１２２や第２キャリッジ１２３、集光レンズ１２４を備える。第１キャリッジ１２２には線状の光源１３１及びミラー１３２が設けられ、第２キャリッジ１２３にはミラー１３３及び１３４が設けられている。光源１３１は、原稿を照明する。ミラー１３２、１３３、１３４は、原稿からの反射光を集光レンズ１２４に導き、集光レンズ１２４はその光像をラインイメージセンサ（受光素子）１２５の受光面に結像する。光源１３１は白色ＬＥＤ等の一方向に配列された複数の発光素子を備える。また、イメージセンサ１２５は一方向に配列された複数の受光部を備える。
【００２０】
この走査光学系１２１において、第１キャリッジ１２２及び第２キャリッジ１２３は、副走査方向１３６に往復動可能に設けられている。第１キャリッジ１２２及び第２キャリッジ１２３を副走査方向１３６に移動することによって、原稿台１０３に載置された原稿の画像をイメージセンサ１２５で読み取ることができる。原稿搬送装置１１０にセットされた原稿の画像を読み取る場合、画像読取部１２０は、第１キャリッジ１２２及び第２キャリッジ１２３を画像読取位置に合わせて一時的に静止させ、画像読取位置を通過する原稿の画像をイメージセンサ１２５で読み取る。イメージセンサ１２５は、受光面に入射した光像から、例えば、Ｒ（レッド）、Ｇ（グリーン）、Ｂ（ブルー）の各色に対応する原稿の画像データを生成する。
【００２１】
生成された画像データは、画像形成部１４０において被転写体である用紙に印刷することができる。また、生成された画像データは、図示しないネットワークインタフェイス等を介して、ネットワークを通じて他の機器へ送信することもできる。
【００２２】
なお、複合機１００は、第１キャリッジ１２２及び第２キャリッジ１２３の移動方向において原稿台１０３と隣接する本体１０１の上面に、主走査方向の全体にわたって配置された白色の反射板（反射面）１３５を備える。当該反射板１３５は、画像読取位置に対応して設けられている。すなわち、反射板１３５の反射面が、原稿台１０３に載置された原稿や、原稿搬送装置１１０により搬送される原稿の原稿読取位置と、第１キャリッジ１２２からの距離が同一となる状態に配置される。反射板１３５は、上述の光源１３１の異常検知やシェーディング補正に使用される。
【００２３】
画像形成部１４０は、画像読取部１２０で得た画像データや、上記ネットワークを通じて他の機器から受信した画像データを用紙に印刷する。画像形成部１４０は、感光体ドラム１４１を備える。感光体ドラム１４１は一定速度で一方向に回転する。感光体ドラム１４１の周囲には、回転方向の上流側から順に、帯電器１４２、露光器１４３、現像器１４４、中間転写ベルト１４５が配置されている。帯電器１４２は、感光体ドラム１４１表面を一様に帯電させる。露光器１４３は、一様に帯電した感光体ドラム１４１の表面に、画像データに応じて光ビームを照射し、感光体ドラム１４１上に静電潜像を形成する。現像器１４４は、その静電潜像にトナーを付着させ、感光体ドラム１４１上にトナー像を形成する。中間転写ベルト１４５は、感光体ドラム１４１上のトナー像を用紙に転写する。画像データがカラー画像である場合、中間転写ベルト１４５は、各色のトナー像を同一の用紙に転写する。なお、ＲＧＢ形式のカラー画像は、Ｃ（シアン）、Ｍ（マゼンタ）、Ｙ（イエロー）、Ｋ（ブラック）形式の画像データに変換され、各色の画像データが露光器１４３に入力される。
【００２４】
画像形成部１４０は、手差しトレイ１５１、給紙カセット１５２、１５３、１５４等から、中間転写ベルト１４５と転写ローラ１４６との間の転写部に用紙を給送する。手差しトレイ１５１や各給紙カセット１５２、１５３、１５４には、様々なサイズの用紙を載置又は収容することができる。画像形成部１４０は、ユーザの指定した用紙や、自動検知した原稿のサイズに応じた用紙を選択し、選択した用紙を給送ローラ１５５により手差しトレイ１５１やカセット１５２、１５３、１５４から給紙する。給紙された用紙は搬送ローラ１５６やレジストローラ１５７で転写部に搬送される。トナー像が転写された用紙は、搬送ベルト１４７により定着器１４８に搬送される。定着器１４８は、ヒータを内蔵した定着ローラ１５８及び加圧ローラ１５９を有しており、熱と押圧力によってトナー像を用紙に定着する。画像形成部１４０は、定着器１４８を通過した用紙を排紙トレイ１４９へ排紙する。
【００２５】
図２は、複合機における制御系のハードウェア構成図である。本実施形態の複合機１００は、ＣＰＵ（Central Processing Unit）２０１、ＲＡＭ（Random Access Memory）２０２、ＲＯＭ（Read Only Memory）２０３、ＨＤＤ（Hard Disk Drive）２０４及び原稿搬送装置１１０、画像読取部１２０、画像形成部１４０における各駆動部に対応するドライバ２０５が内部バス２０６を介して接続されている。ＲＯＭ２０３やＨＤＤ２０４等はプログラムを格納しており、ＣＰＵ２０１はその制御プログラムの指令にしたがって複合機１００を制御する。例えば、ＣＰＵ２０１はＲＡＭ２０２を作業領域として利用し、ドライバ２０５とデータや命令を授受することにより上記各駆動部の動作を制御する。また、ＨＤＤ２０４は、画像読取部１２０により得られた画像データや、他の機器からネットワークを通じて受信した画像データの蓄積にも用いられる。
【００２６】
内部バス２０６には、操作パネル１７１や各種のセンサ２０７も接続されている。操作パネル１７１は、ユーザの操作を受け付け、その操作に基づく信号をＣＰＵ２０１に供給する。また、操作パネル１７１は、ＣＰＵ２０１からの制御信号にしたがって自身が備えるディスプレイに操作画面を表示する。センサ２０７は、プラテンカバー１０２の開閉検知センサや原稿台１０３上の原稿検知センサ、定着器１４８の温度センサ、搬送される用紙又は原稿の検知センサなど各種のセンサを含む。
【００２７】
ＣＰＵ２０１は、例えばＲＯＭ２０３に格納されたプログラムを実行することで、以下の各手段（機能ブロック）を実現するとともに、これらセンサからの信号に応じて各手段の動作を制御する。
【００２８】
図３は、本実施形態の複合機の画像読取に関連する部分を示す機能ブロック図である。図３に示すように、複合機１００は、光量確認部３０１及び光量再確認部３０２を備える。
【００２９】
光量確認部３０１は、光源１３１を点灯させ、反射面１３５において反射されてイメージセンサ１２５に入射した光源１３１の光量が予め指定された光量条件を満足するか否かを判定する。光源１３１を点灯させる場合、光量確認部３０１は、第１キャリッジ１２２を反射面１３５と対向する位置に配置し、第２キャリッジを当該第１キャリッジ１２２の位置と対応する位置に配置する。また、光源１３１を予め指定された条件（駆動電流や点灯時間）で点灯させる。そして、イメージセンサ１２５の出力信号を取得する。
【００３０】
なお、イメージセンサ１２５は、主走査方向に沿って複数の受光部を有している。そのため、イメージセンサ１２５の出力信号は、各受光部に入射したそれぞれの光量を示す信号である。また、上述の光量条件を満足するか否かの判定は、各受光部についてそれぞれ実施される、少なくとも１つの受光部において光量条件を満足しないと判定されると、光源１３１の全体が光量条件を満足しないと判定される。
【００３１】
光量再確認部３０２は、光量確認部３０１が光量条件を満足しないと判定した場合、光量確認部３０１による判定のための点灯条件とは異なる点灯条件で光源１３１を点灯させた際に反射面１３５において反射されてイメージセンサ１２５に入射した光量が、予め指定された光量再確認条件を満足するか否かを判定する。ここで、光量再確認条件は、上述の光量条件とは異なっている。なお、光量再確認条件を満足するか否かの判定も、各受光部についてそれぞれ実施され、少なくとも１つの受光部において光量再確認条件を満足しないと判定されると、光源１３１の全体が光量再確認条件を満足しないと判定される。
【００３２】
特に限定されないが、本実施形態では、光量再確認部３０２は、光源１３１の点灯時間を、光量確認部３０１による判定のための点灯時間よりも延長する点灯時間変更部として機能する。すなわち、光量再確認部３０２は、点灯時間を変更することで、光量確認部３０１による判定のための点灯条件とは異なる点灯条件を実現する。例えば、光量再確認部３０２は、光源１３１の点灯時間を、光量確認部３０１による判定のための点灯時間の２倍の点灯時間で光源１３１を点灯させる。
【００３３】
また、光量再確認部３０２は、当該点灯条件と対応づけられた光量再確認条件を満足するか否かを判定する。この構成では、例えば、上述の光量条件として、上述の点灯条件において、工場出荷時等に計測された光量の９５％以上、という条件を設定することができる。また、上述の光量再確認条件として、工場出荷時等に計測された光量の５０％以上、という条件を設定することができる。
【００３４】
図４は、複合機１００が実施する光源異常検知手順の一例を示すフロー図である。当該手順は、例えば、複合機１００において、画像読取部１２０に電源が投入されたことや、所定の時間間隔が経過したことや、画像読取指示が入力された等、所定の光源異常検知タイミングが到来したことをトリガとして開始される。
【００３５】
当該手順が開始すると、光量確認部３０１は、第１キャリッジ１２２及び第２キャリッジ１２３を指定された位置に静止させ、光源１３１を予め指定された条件で点灯させる（ステップＳ４０１）。また、光量確認部３０１は、イメージセンサ１２５の出力信号を取得する（ステップＳ４０２）。
【００３６】
イメージセンサ１２５の出力信号を取得した光量確認部３０１は、取得したイメージセンサ１２５の出力信号（すなわち、光源１３１の光量）が予め指定された光量条件を満足するか否かを判定する（ステップＳ４０３）。予め指定された光量条件を満足する場合、光量確認部３０１は、光源１３１が正常であると判定し、手順が終了する（ステップＳ４０３Ｙｅｓ、Ｓ４０８）。
【００３７】
予め指定された光量条件を満足しない場合、光量確認部３０１は、光量再確認部３０２へその旨を通知する（ステップＳ４０３Ｎｏ）。当該通知を受けた光量再確認部３０２は、光源１３１の点灯条件を変更し、光源１３１を当該変更した条件で点灯させる（ステップＳ４０４、Ｓ４０５）。ここでは、光量再確認部３０２は光源１３１の点灯時間を２倍に変更する。また、光量再確認部３０２は、イメージセンサ１２５の出力信号を取得する（ステップＳ４０６）。
【００３８】
イメージセンサ１２５の出力信号を取得した光量再確認部３０２は、取得したイメージセンサ１２５の出力信号（すなわち、光源１３１の光量）が予め指定された光量再確認条件を満足するか否かを判定する（ステップＳ４０７）。予め指定された光量再確認条件を満足する場合、光量再確認部３０２は、光源１３１が正常であると判定し、手順が終了する（ステップＳ４０７Ｙｅｓ、Ｓ４０８）。この場合、光源１３１に非点灯等の異常はないが、光路中の結露等により光量が低下していることが想定される。そのため、光量再確認部３０２は、画像読取を実行するか否かをユーザに判断させるために、例えば、操作パネル１７１が備えるディスプレイに警告メッセージを表示する等により、結露が発生していることをユーザに通知する構成であることが好ましい。また、光量再確認部３０２は、光源１３１を点灯し続ける等により、結露の解消を試みる構成であってもよい。
【００３９】
一方、予め指定された光量再確認条件を満足しない場合、光量再確認部３０２は、光源１３１が異常であると判定する（ステップＳ４０７Ｎｏ、Ｓ４０９）。この場合、光量再確認部３０２は、例えば、操作パネル１７１が備えるディスプレイに警告メッセージを表示する等により、光源１３１が異常であることをユーザに通知する。
【００４０】
以上説明したように、この複合機１００では、光源１３１の光量に異常が確認された場合、光源１３１の点灯条件を変更して光源１３１の光量を確認するため、光源１３１の異常をより確実に検知することができる。その結果、結露等による光量低下を、光源１３１の異常と誤検知することに起因する装置ダウンタイムを低減でき、装置の生産性を向上させることができる。
【００４１】
なお、上記では、光源１３１の点灯条件を点灯時間により変更したが、イメージセンサ１２５が取得する光量を増大可能であれば、任意の手法により点灯条件を変更することができる。例えば、光源１３１の駆動電流を増大可能な構成であれば、当該駆動電流を増大させてもよい。
【００４２】
また、光量低下の主要因である結露は、反射板１３５と異なる位置であれば、発生していない可能性もある。そのため、点灯条件の変更は、光源１３１が出射する光量の変更に限らず、光源１３１の点灯位置の変更により実現してもよい。図５は、光源１３１の点灯位置を変更する本実施形態の複合機の画像読取に関連する部分を示す機能ブロック図である。
【００４３】
図５に示すように、複合機５００では、光量再確認部３０２は、光源１３１の点灯位置（すなわち、第１キャリッジ１２２及び第２キャリッジ１２３の位置）を、光量確認部３０１による判定のための位置と異なる位置に移動させる点灯位置変更部として機能する。すなわち、光量再確認部３０２は、点灯位置を変更することで、光量確認部３０１による判定のための点灯条件とは異なる点灯条件を実現する。当該位置は、例えば、コンタクトガラス１０３に対向する任意の位置を採用することができる。また、点灯位置の変更は、キャリッジ駆動部５１１により、第１キャリッジ１２２及び第２キャリッジ１２３を移動させることで実現可能である。なお、ここでは、プラテンカバー１０２のコンタクトガラス１０３と対向する面を白色として反射面１３７とし、光源１３１から出射した光がコンタクトガラス１０３の上面付近において反射される構成を採用している。
【００４４】
また、光量再確認部３０２は、当該点灯条件と対応づけられた光量再確認条件を満足するか否かを判定する。この構成では、例えば、上述の光量条件として、上述の点灯条件において、工場出荷時等に計測された光量の９５％以上、という条件を設定することができる。また、上述の光量再確認条件として、工場出荷時等に計測された光量の５０％以上、という条件を設定することができる。
【００４５】
図６は、複合機１００が実施する光源異常検知手順の一例を示すフロー図である。当該手順は、上述のように、複合機５００において、所定の光源異常検知タイミングが到来したことをトリガとして開始される。
【００４６】
当該手順が開始すると、光量確認部３０１は、第１キャリッジ１２２及び第２キャリッジ１２３を指定された位置に静止させ、光源１３１を予め指定された条件で点灯させる（ステップＳ６０１）。また、光量確認部３０１は、イメージセンサ１２５の出力信号を取得する（ステップＳ６０２）。
【００４７】
イメージセンサ１２５の出力信号を取得した光量確認部３０１は、取得したイメージセンサ１２５の出力信号（すなわち、光源１３１の光量）が予め指定された光量条件を満足するか否かを判定する（ステップＳ６０３）。予め指定された光量条件を満足する場合、光量確認部３０１は、光源１３１が正常であると判定し、手順が終了する（ステップＳ６０３Ｙｅｓ、Ｓ６０８）。
【００４８】
予め指定された光量条件を満足しない場合、光量確認部３０１は、光量再確認部３０２へその旨を通知する（ステップＳ６０３Ｎｏ）。当該通知を受けた光量再確認部３０２は、光源１３１の点灯条件を変更し、光源１３１を当該変更した条件で点灯させる（ステップＳ６０４、Ｓ６０５）。ここでは、光量再確認部３０２は、キャリッジ駆動部５１１を通じて第１キャリッジ１２２及び第２キャリッジ１２３の位置を移動させることで光源１３１の点灯位置を光量確認部３０１による判定のための位置と異なる位置に変更する。また、光量再確認部３０２は、イメージセンサ１２５の出力信号を取得する（ステップＳ６０６）。
【００４９】
イメージセンサ１２５の出力信号を取得した光量再確認部３０２は、取得したイメージセンサ１２５の出力信号（すなわち、光源１３１の光量）が予め指定された光量再確認条件を満足するか否かを判定する（ステップＳ６０７）。予め指定された光量再確認条件を満足する場合、光量再確認部３０２は、光源１３１が正常であると判定し、手順が終了する（ステップＳ６０７Ｙｅｓ、Ｓ６０８）。この場合、光源１３１に非点灯等の異常はないが、光路中の結露等により光量が低下していることが想定される。そのため、光量再確認部３０２は、画像読取を実行するか否かをユーザに判断させるために、例えば、操作パネル１７１が備えるディスプレイに警告メッセージを表示する等により、結露が発生していることをユーザに通知する構成であることが好ましい。また、光量再確認部３０２は、光源１３１を点灯し続ける等により、結露の解消を試みる構成であってもよい。
【００５０】
一方、予め指定された光量再確認条件を満足しない場合、光量再確認部３０２は、光源１３１が異常であると判定する（ステップＳ６０７Ｎｏ、Ｓ６０９）。この場合、光量再確認部３０２は、例えば、操作パネル１７１が備えるディスプレイに警告メッセージを表示する等により、光源１３１が異常であることをユーザに通知する。
【００５１】
以上説明したように、この複合機５００の構成であっても、上述の複合機１００と同様の作用効果を得ることができる。なお、この構成では、光量再確認部３０２は、第１キャリッジ１２２の位置をコンタクトガラス１０３に対向する複数の異なる位置（例えば、２〜３箇所）に移動させ、各位置において光量再確認条件を満足するか否かを判定する構成であってもよい。また、光源１３１が出射する光量を変更することにより点灯条件を変更する複合機１００における光量再確認条件と、光源１３１の照射位置を変更することにより点灯条件を変更する複合機５００における光量再確認条件とは同一である必要はなく、点灯条件と対応づけられた光量再確認条件を適宜設定することができる。
【００５２】
ところで、以上では、光量確認部３０１が光量条件を満足しないと判定した場合、光源１３１の点灯条件を変更する構成について説明したが、光源１３１の点灯条件を変更しない構成も採用可能である。図７は、光源１３１の点灯条件を変更しない本実施形態の複合機の画像読取に関連する部分を示す機能ブロック図である。図７に示すように、複合機７００は、光量確認部３０１、光量再確認部３０２に加えて、光量保持部３０３を備える。
【００５３】
上述のように、光量確認部３０１は、光源１３１を点灯させ、反射面１３５において反射されてイメージセンサ１２５に入射した光源１３１の光量が予め指定された光量条件を満足するか否かを判定する。また、光量再確認部３０２は、光量確認部３０１が光量条件を満足しないと判定した場合、当該光源１３１の光量が、予め指定された光量再確認条件を満足するか否かを判定する。
【００５４】
光量保持部３０３は、光量確認部３０１が光量条件を満足すると判定した場合の光源の光量又は当該光源の光量に相当する基準光量を格納する。ここでは、光量保持部３０３には、基準光量として、上述の工場出荷時等に計測された光量が格納され、また、適宜、光量確認部３０１が取得したイメージセンサ１２５の出力信号が格納される。
【００５５】
この構成では、光量再確認部３０２は、光源１３１を光量確認部３０１による判定の際に取得された光量と光量保持部３０３に格納された光量との差分が、当該差分について指定された光量再確認条件を満足するか否かを判定する。
【００５６】
図８は、複合機７００が実施する光源異常検知手順の一例を示すフロー図である。当該手順は、上述のように、複合機７００において、所定の光源異常検知タイミングが到来したことをトリガとして開始される。
【００５７】
当該手順が開始すると、光量確認部３０１は、第１キャリッジ１２２及び第２キャリッジ１２３を指定された位置に静止させ、光源１３１を予め指定された条件で点灯させる（ステップＳ８０１）。また、光量確認部３０１は、イメージセンサ１２５の出力信号を取得する（ステップＳ８０２）。
【００５８】
イメージセンサ１２５の出力信号を取得した光量確認部３０１は、取得したイメージセンサ１２５の出力信号（すなわち、光源１３１の光量）が予め指定された光量条件を満足するか否かを判定する（ステップＳ８０３）。予め指定された光量条件を満足する場合、光量確認部３０１は、取得したイメージセンサ１２５の出力信号を光量保持部３０３に格納する（ステップＳ８０３Ｙｅｓ、Ｓ８０８）。また、光量確認部３０１は、光源１３１が正常であると判定し、手順が終了する（ステップＳ８０６）。
【００５９】
予め指定された光量条件を満足しない場合、光量確認部３０１は、光量再確認部３０２へその旨を通知する（ステップＳ８０３Ｎｏ）。当該通知を受けた光量再確認部３０２は、光量確認部３０１から、光量確認部３０１がその時点で光源１３１の異常判定のために取得したイメージセンサ１２５の出力信号を取得する。また、光量再確認部３０２は、光量保持部３０３から、光量保持部３０３がその時点で格納している最新の光量を取得する。そして、光量再確認部３０２は、光量確認部３０１による判定の際に取得された光量Ｘと光量保持部３０３から取得した光量Ｙとの差分Δ＝Ｙ−Ｘを算出する（ステップＳ８０４）。
【００６０】
以上のようにして差分Δを算出した光量再確認部３０２は、算出した差分Δが、予め当該差分Δについて指定された光量再確認条件を満足するか否かを判定する（ステップＳ８０５）。例えば、光量再確認条件には、差分Δが工場出荷時等に計測された光源１３１の光量の５０％以上、という条件を設定することができる。
【００６１】
予め指定された光量再確認条件を満足する場合、光量再確認部３０２は、光源１３１が正常であると判定し、手順が終了する（ステップＳ８０５Ｙｅｓ、Ｓ８０６）。この場合、光源１３１に非点灯等の異常はないが、光路中の結露等により光量が低下していることが想定される。そのため、光量再確認部３０２は、例えば、操作パネル１７１が備えるディスプレイに警告メッセージを表示する等により、画像読取を実行するか否かをユーザに判断させるために、結露が発生していることをユーザに通知する構成であることが好ましい。また、光量再確認部３０２は、光源１３１を点灯し続ける等により、結露の解消を試みる構成であってもよい。
【００６２】
一方、予め指定された光量再確認条件を満足しない場合、光量再確認部３０２は、光源１３１が異常であると判定する（ステップＳ８０５Ｎｏ、Ｓ８０７）。この場合、光量再確認部３０２は、例えば、操作パネル１７１が備えるディスプレイに警告メッセージを表示する等により、光源１３１が異常であることをユーザに通知する。
【００６３】
以上説明したように光量確認部３０１が光量条件を満足しないと判定した場合に光源１３１の点灯条件を変更しない構成であっても、上述のように光源１３１の点灯条件を変更する構成と同様の作用効果を奏することができる。なお、以上で説明した各構成は、適宜、組み合わせて使用することもできる。
【００６４】
なお、上述した各実施形態は本発明の技術的範囲を制限するものではなく、既に記載したもの以外でも、本発明の範囲内で種々の変形や応用が可能である。例えば、上記実施形態では、縮小光学系を採用した構成を例示したが、密着光学系を採用した画像読取装置にも適用可能である。
【００６５】
また、図４、図６及び図８に示したフローチャートは、等価な作用を奏する範囲において、各ステップの順序を適宜変更可能である。
【００６６】
加えて、上述の実施形態では、デジタル複合機として本発明を具体化したが、当該装置に限らず、スキャナ、ファクシミリ、複写機等の画像読取機能を有する任意の画像読取装置や画像形成装置に本発明を適用することも可能である。
【産業上の利用可能性】
【００６７】
本発明によれば、光源異常をより正確に検知できるとともに、装置ダウンタイムを低減することができ、画像読取装置及び画像形成装置として有用である。
【符号の説明】
【００６８】
１００、５００、７００  複合機（画像形成装置）
１２０  画像読取部（画像読取装置）
１２５  イメージセンサ（受光素子）
１３１  光源
１３５  反射板（反射面）
１３７  反射面
１４０  画像形成部
３０１  光量確認部
３０２  光量再確認部
３０３  光量保持部
【図１】
2015106804.tif 000003
【図２】
2015106804.tif 000004
【図３】
2015106804.tif 000005
【図４】
2015106804.tif 000006
【図５】
2015106804.tif 000007
【図６】
2015106804.tif 000008
【図７】
2015106804.tif 000009
【図８】
2015106804.tif 000010